(57)【要約】      （修正有）【課題】チャイルドロック状態では、運転終了後の除菌運転を行わないようにしたミスト発生装置を提供する。【解決手段】貯水室８内の温度を検出する温度センサ２３と、運転スイッチ４３の運転停止信号のみを受付て他の操作スイッチの操作を受付ないようにするチャイルドロックスイッチと、前記貯水室８内の貯水の温度を設定温度に保持するように加熱ヒータ２２の出力を制御すると共に、駆動モータ１３及び送風機４を制御し、ナノミスト及び負イオンを室内に供給しながら室内の空気を清浄にするミスト運転を行わせ、前記ミスト運転停止時には、前記加熱ヒータ２２によって貯水温度を除菌の所定温度まで上昇させる除菌運転を行ってから終了させる制御手段４１とを備えたミスト発生装置に於いて、前記チャイルドロックスイッチが操作されたチャイルドロック状態では、前記制御手段４１は、除菌運転を行わずに運転停止するようにした。【選択図】図１
2015059671.tif 000002
【特許請求の範囲】
【請求項１】
水を貯留する貯水室と、該貯水室内の貯水を加熱する加熱ヒータと、前記貯水室内の貯水に下端を水没させ回転により貯水を汲み上げて飛散させる筒状の回転体と、該回転体を回転駆動させる駆動モータと、前記回転体の回転により飛散された貯水が衝突する多孔体と、該多孔体で貯水が破砕されることで発生するナノミストと負イオンを室内に供給する送風機と、前記貯水室内の温度を検出する温度センサと、運転スイッチの運転停止信号のみを受付て他の操作スイッチの操作を受付ないようにするチャイルドロックスイッチと、前記貯水室内の貯水の温度を設定温度に保持するように前記加熱ヒータの出力を制御すると共に、前記駆動モータ及び送風機を制御し、前記ナノミスト及び負イオンを室内に供給しながら室内の空気を清浄にするミスト運転を行わせ、前記ミスト運転停止時には、前記加熱ヒータによって貯水温度を除菌の所定温度まで上昇させる除菌運転を行ってから終了させる制御手段とを備えたミスト発生装置に於いて、前記チャイルドロックスイッチが操作されたチャイルドロック状態では、前記制御手段は、除菌運転を行わずに運転停止するようにした事を特徴とするミスト発生装置。
【発明の詳細な説明】
【技術分野】
【０００１】
この発明は、ナノミストと負イオンを発生すると共に、室内空気を清浄するミスト発生装置に関するものである。
【背景技術】
【０００２】
従来よりこの種のものに於いては、運転終了時に貯水室内の貯水温度を高温の７０℃程度まで上昇させ、この状態で数分間維持させることで、貯水の除菌運転を行うものであった。（特許文献１参照）
【先行技術文献】
【特許文献】
【０００３】
【特許文献１】特開２０１２−２３５８５３号公報
【発明の概要】
【発明が解決しようとする課題】
【０００４】
ところでこの従来のものでは、この運転終了時に除菌運転を行うものを、家庭の居間や各部屋で使用するミスト発生装置に搭載し、しかも子供の悪戯を防止するチャイルドロックスイッチを備えたものでは、子供が悪戯をする危険があるにも拘わらず、運転終了後に貯水温度を高温にした状態を数分間も継続したのでは、万一子供が器具本体を倒した場合には、高温水が漏れ出て火傷をする危険が極めて高いと言う課題を有するものであった。
【課題を解決するための手段】
【０００５】
この発明はこの点に着目し上記課題を解決する為に、特にその構成を、水を貯留する貯水室と、該貯水室内の貯水を加熱する加熱ヒータと、前記貯水室内の貯水に下端を水没させ回転により貯水を汲み上げて飛散させる筒状の回転体と、該回転体を回転駆動させる駆動モータと、前記回転体の回転により飛散された貯水が衝突する多孔体と、該多孔体で貯水が破砕されることで発生するナノミストと負イオンを室内に供給する送風機と、前記貯水室内の温度を検出する温度センサと、運転スイッチの運転停止信号のみを受付て他の操作スイッチの操作を受付ないようにするチャイルドロックスイッチと、前記貯水室内の貯水の温度を設定温度に保持するように前記加熱ヒータの出力を制御すると共に、前記駆動モータ及び送風機を制御し、前記ナノミスト及び負イオンを室内に供給しながら室内の空気を清浄にするミスト運転を行わせ、前記ミスト運転停止時には、前記加熱ヒータによって貯水温度を除菌の所定温度まで上昇させる除菌運転を行ってから終了させる制御手段とを備えたミスト発生装置に於いて、前記チャイルドロックスイッチが操作されたチャイルドロック状態では、前記制御手段は、除菌運転を行わずに運転停止するようにしたものである。
【発明の効果】
【０００６】
以上のようにこの発明によれば、子供の悪戯を防止するチャイルドロック状態では、常時行われている運転停止時の除菌運転を行わずに運転停止するようにしたので、子供の悪戯で器具本体が倒される可能性が高い場合には、火傷をする危険がある除菌運転を回避するので、極めて安全であり子供のいる家庭でも常に安心して使用出来るものである。
【図面の簡単な説明】
【０００７】
【図１】この発明の一実施形態のミスト発生装置を示す概略構成図。
【図２】同操作部の正面図。
【図３】同電気回路のブロック図。
【図４】同温ミスト運転状態を示すフローチャート。
【発明を実施するための形態】
【０００８】
次にこの発明の一実施形態のミスト発生装置を図面に基づき説明する。
１は室内の空気清浄や加湿、人の顔に直接ナノミストと負イオンを当てて美顔するミスト発生装置本体で、中央部には蓋体２に固定され吸引口３から吸引された室内空気を、中央で回転駆動するシロッコファンからなる送風機４まで案内する円筒状の案内筒５が備えられ、この案内筒５には、送風機４を覆うように送風機４下方まで垂下した送風筒６が設けられている。
【０００９】
７は前記案内筒５を覆った処理室で、この処理室７の下部には円形椀状でアルミダイキャスト製の貯水室８が設けられ、この貯水室８には給水手段としての給水タンク９がセットされた定水位室１０が通水路１１を介して連通しており、給水タンク９は給水を落差方式で供給することで、貯水室８を常時一定水位に保つようにしているものである。又１２は定水位室１０内に設けられ、貯水室８及び定水位室１０に一定水位以上の貯水があるときに水位有りを検出する水位検出信号を出力する水位検出手段としてのフロートセンサである。
【００１０】
１３は貯水室８下方で該貯水室８を支持する駆動手段としての駆動モータで、全周をカバー体１４で覆われ装置本体１の底部を構成する基板１５に固定されており、更にカバー体１４の外周壁に外方へ突出した樋状の流水溝１６を一周形成している。
【００１１】
１７は貯水室８の貯水に下部を水没させ、この貯水室８を貫通して送風機４を回転させる駆動軸１８に軸支された筒状の回転体で、この回転体１７は中空逆円錐形で上方に向かって径が徐々に拡大するものであり、回転体１７が回転することによりこの回転の遠心力で貯水室８の貯水を汲み上げ回転体１７の外壁及び内壁を伝わせて押し上げて、回転体１７の外壁を伝わせて押し上げた貯水を周囲に飛散させると共に、回転体１７の内壁を伝わせて押し上げた貯水を回転体１７の上端に形成された複数の飛散口１９から周囲に飛散させるものである。
【００１２】
２０は回転体１７の上部外周に所定間隔を保持して位置し、回転体１７と共に回転する円筒状の多孔体で、この多孔体２０にはその全周壁に多数のスリットや金網やパンチングメタル等から成る多孔部２１が形成されており、回転体１７の回転による遠心力で貯水室８内の水を汲み上げると共に空気を飛散させ、そして多孔部２１を通過させたり、ぶつけて破砕させることで、水の粒子を微細化してナノメートル（ｎｍ）サイズのミストを生成すると共に、水の粒子の微細化によるレナード効果で負イオンを発生させるものであり、又多孔部２１を通過した水の粒子は、更に多孔体２０の外周の送風筒６の内壁に衝突して微細化されるものであり、前記多孔体２０及び前記送風筒６から衝突体が構成されているものである。
【００１３】
２２は貯水室８外周を巻回して備えられ該貯水室８内の貯水を加熱する加熱手段としての加熱ヒータで、送風量が「強」に設定されると貯水室８内の貯水温度を設定温度３８℃前後に、送風量が「弱」に設定されると貯水室８内の貯水温度を設定温度３４℃前後に加熱保温して吹き出し温度を３０℃程度に保持するものであり、貯水室８の底部から吐出し該貯水室８内の貯水の温度を検出するサーミスタからなる温度検出手段としての温度センサ２３の検出温度によって、加熱ヒータ２２がＯＮ／ＯＦＦされて所定温度に保持するもので、加熱ヒータ２２を強制的にＯＦＦにし貯水室８内の貯水を加温しないモードも設定可能としている。
【００１４】
２４は送風筒６や多孔体２０の下端と対向して貯水室８上面を覆った皿状の水流阻止手段で、中央部には回転体１７の挿通穴２５が形成されており、この挿通穴２５から外周に延びる支持片２６によって水面が区画されることで、回転体１７の回転で回転しようとする水流を阻止し、回転体１７の回転による遠心力の作用で容易に水流が回転体１７内外周を上昇できるようにしたものである。又この水流阻止手段２４は、上方の送風筒６や多孔体２０にぶつかり微細化されなかった比較的大粒の水滴を受けることで、この水滴が直接貯水室８水面に落下して発生するバシャ、バシャという落下音をも阻止することができるものであり、そのために外周から中央部の挿通穴２５に向かって緩やかに下り傾斜しており、水滴を確実に自然なかたちで貯水室８に戻すことができるものである。
【００１５】
２７は回転体１７と多孔体２０の回転により発生したナノミストと負イオンとを、送風機４の駆動で処理室７上部の吹出口２８から放出させる流通路で、この流通路２７は送風筒６と水流阻止手段２４との隙間から、処理室７と案内筒５、送風筒６間を上昇して吹出口２８に向かう流路から構成されている。
【００１６】
２９は貯水室８と連通している通水路１１に備えられ常時閉弁側に押圧されている排水弁で、給水タンク９が定水位室１０にセット（収納）されることで、圧縮バネ（図示せず）によって常時押し上げられているロット３０が押し下げられて、ロット３０の下端が係止金具３１をロックして排水弁２９が閉弁状態とされ、給水タンク９がセットされている時は貯水室８内の残水の排水を確実に阻止するものであり、給水タンク９が取り去られることで、ロット３０が圧縮バネによって上方に押し上げられ、係止金具３１のロックが解除されて、排水弁２９は開弁可能状態となるものである。
【００１７】
３２は貯水室８内の残水の排水を受ける上面開放の排水トレーで、ミスト発生装置本体１内に出し入れ自在に備えられ、正面には手掛け部３３が形成されており、その容積は貯水室８の残水を十分に収容できる大きさとしているものである。また、この排水トレー３２は内方後方に突出壁３４が形成され、排水レバー３５が下げられると係止金具３１が排水弁２９を押圧して開弁させ、その時、排水レバー３５の下端が突出壁３４より下方で且つ外側に位置し、排水中に排水トレー３２が抜き取られるのを突出壁３４と排水レバー３５が係合することで防止するものであり、排水が終了し排水レバー３５を引き上げて元に戻せば、係止金具３１の押圧が解除されて排水弁２９は閉弁され、排水トレー３２は容易に引き抜かれて、中に溜められた排水を台所等へ廃棄できるものである。
【００１８】
３６は駆動軸１８が貫通した貯水室８とカバー体１４との間の駆動軸１８途中に備えられた傘状の遮蔽板で、貯水室８から漏れた水が駆動軸１８部分を伝わって駆動モータ１３内に浸入するのを防止するものである。
【００１９】
３７は給水タンク９の給水口キャップで、内装した弁機構（図示せず）を固定された支持部（図示せず）で押し上げられることで給水タンク９から定水位室１０に給水されるものである。また、３８は給水タンク９を出し入れする時に開閉するタンク蓋、３９は蓋体２を着脱するための持ち手、４０は吹出口２８に備えられナノミストと負イオンの吹き出し方向の変更を行う風向板である。
【００２０】
４１は温度センサ２３及びフロートセンサ１２の検出信号を受けて、加熱ヒータ２２及び駆動モータ１３の動作を制御する制御手段で、この制御手段４１は、ミスト発生装置本体１の正面に備えられた操作部４２に設けられた運転スイッチ４３の運転開始信号を受けて、送風機４、駆動モータ１３、加熱ヒータ２２を制御してミスト運転を開始させるものであり、また、運転停止信号を受けることで、加熱ヒータ２２に通電し貯水を通常運転時より高温の７０℃まで加熱して５分間保持する除菌運転を行ってから運転停止させるものである。
【００２１】
前記操作部４２にはその他の操作スイッチ４４として、送風機４の風量を強弱切替する風量スイッチ４５と、加熱ヒータ２２に通電して温めた貯水でミストを発生させる優先の温ミストと温めずにミストを発生させる選択操作が必要な冷ミストとを選択する温ミストスイッチ４６と、１時間、２時間の切りタイマーを選択出来る切りタイマースイッチ４７とが備えられている。
【００２２】
４８は操作部４２に設けられたチャイルドロックスイッチで、運転中に押圧操作されることで、制御手段４１に前記のその他の操作スイッチ４４の操作を受け付けさせず、運転スイッチ４３の運転停止信号のみを受け付けるが、この時、運転停止時に常に行われている除菌運転は行わずに直ぐに停止させるようにしたものであり、これにより子供の悪戯が心配でチャイルドロックしたのに、運転停止後５分間も高温の除菌運転していたのでは、万一子供がミスト発生装置本体１を倒すと火傷する危険があるので、チャイルドロック状態では除菌運転は行わず未然に危険を阻止するようにしたものである。
【００２３】
次に図４のフローチャートに示す一実施形態のミスト発生装置の動作を説明する。
まず、運転スイッチ４３をＯＮすると（ステップ４９）、加熱ヒータ２２が通電され貯水室８内に貯留された貯水を予め設定された温度、例えば３０℃に加熱する温ミスト運転が実行され、そして、温度センサ２３の検出する貯水室８内の貯水温度が３０℃に達すると、加熱ヒータ２２がＯＦＦされ、常に貯水温度が３０℃を保持するように制御され（ステップ５０）、続いて、駆動モータ１３の駆動を開始させ、ナノミスト及び負イオンを発生させる温ミスト運転が実行されるものである（ステップ５１）。
【００２４】
前記温ミスト運転に於いて、制御手段４１は、温度センサ２３の検出する貯水室８内の貯水温度に基づいて、加熱ヒータ２２をＯＮ／ＯＦＦさせて、貯水室８内の一定水位の貯水を設定温度に保持するよう制御すると共に、制御手段４１は、駆動モータ１３を設定された回転数になるよう制御し、ナノミスト及び負イオンを発生させ室内に供給するミスト運転を行う。
【００２５】
前記駆動モータ１３の駆動により駆動軸１８に同軸で固定された送風機４及び回転体１７が回転駆動され、送風機４の回転では、吸引口３から吸引される室内空気を案内筒５へ案内して吸引した後、処理室７下方に放出する。
【００２６】
一方、回転体１７の回転では、所定温度に加熱された貯水室８内の貯水が、回転体１７下端の回転により汲み上げられ、遠心力で回転体１７の外壁及び内壁を伝って押し上げられて上昇し、回転体１７の外壁を伝わせて押し上げた貯水を外方に飛散されると共に、回転体１７の内壁を伝わせて押し上げた貯水を回転体１７の上端に形成された複数の飛散口１９から外方に飛散され、そして周囲に飛散された貯水は、回転体１７の上部外周に所定間隔を保持して位置し、回転体１７と共に回転する多孔体２０の多孔部２１に、ぶつかって破砕したり、多孔部２１を通過したものはこの外周の送風筒６の内壁に衝突して微細化される。
【００２７】
この時、回転体１７の回転によって円形で抵抗がない貯水室８内の貯水が、回転体１７と同方向に回転する水流を形成しようとするが、水流阻止手段２４の支持片２６が水面に没して抵抗となり、回転する水流の形成が阻止されるので、遠心力が十分に作用して貯水が回転体１７の周壁上を押し上げられて、上記したように良好に破砕されるものである。
【００２８】
そして、この加熱された温水の破砕と微細化によりナノミストを生成すると共に、レナード効果で負イオンを発生させ、発生したナノミストと負イオンを上記した送風機４の処理室７下方へ向かう送風で一旦水流阻止手段２４にぶつけて、大きくて重いミストを水流阻止手段２４に落下させて除去した後、微細なナノミストのみと負イオンを流通路２７を介して上部の吹出口２８から風向板４０で設定された吹き出し方向へ放出して室内に供給し、室内の加湿や空気清浄等を行うものである。
【００２９】
また、水流阻止手段２４は、上方の送風筒６や多孔体２０にぶつかり微細化されなかった比較的大粒の水滴の落下を受けることで、この水滴が直接貯水室８の貯水面に落下して発生するバシャ、バシャという落下音をも阻止することができるものであり、しかもこの水流阻止手段２４は、外周から中央部の挿通穴２５に向かって緩やかに下り傾斜しているので、落下した水滴は挿通穴２５から確実に貯水室８に戻されるものであり、戻される時の音も静かで済むものである。
【００３０】
更にこの放出されるナノミストは、加熱された貯水から生成されるので、肌寒くなく温かいナノミストと負イオンの放出が得られ、冬季でも関係なく使用できるものであり、供給されるナノミストは３０℃程度の高温でも低温でもないちょうどよい中間温度であるから、カルキの析出や転倒による火傷の危険もなく、安全であり安心して使用されるものである。
【００３１】
また肺から吸引された負イオンは血液中に入り、その還元作用で血液の酸化を阻止し血液サラサラ状態とすると共に、その循環を良くし、末梢血管まで血液を行き渡らせることにより、痛みやこりを緩和することができると考えられている。
【００３２】
また、負イオンにより、疲労回復効果、精神安定効果、血液の浄化効果、抵抗力の増進効果、自律神経調整効果等があり、更にナノミストによって、空気中の隅々まで行き渡り汚れた空気や細菌を抑制し、臭いまでも分解するもので、脱臭効果、除塵効果、除菌効果、もちろん加湿効果があるものであり、この加湿はベトツキがないサラサラで潤いのある空気で、毛穴からの浸透でお肌と髪の潤いを保つ効果を有するものであり、これらの効果が得られる負イオンとナノミストを大量に放出されるということは、これらの効果も増大するものである。
【００３３】
また、ナノミストや負イオンを室内に放出するために、送風機４の駆動で吸引口３から吸引される室内空気は、処理室７内で飛散した貯水と交わることにより、水のフイルター作用で空気中の塵や雑菌が最終的には貯水室８の貯水内に混入するので、室内の空気清浄が強力且つ良好に行われるものである。
【００３４】
更にミスト発生装置本体１を美顔器として使用する場合には、吹出口２８の近くに顔を近づけることで、吹出口２８から放出されるナノミストは、顔の無数の小さな毛穴から顔肌に入り込み、肌の保水力を高めると共に肌内の不純物を取り除くものであり、負イオンは、肌表面の老廃物を除去し綺麗でつやのある肌を取り戻せるようにするものであり、精神的にもリラックスして楽しみながら毎日繰り返し行えるものである。
【００３５】
次に運転停止の運転スイッチ４３のＯＦＦを検知したかを制御手段４１が判断し（ステップ５２）、ＹＥＳでは更に制御手段４１がチャイルドロックスイッチ４８が操作されていないかを判断し（ステップ５３）、操作されていなければ、ＮＯで駆動モータ１３の駆動停止により駆動軸１８に同軸で固定された送風機４及び回転体１７の回転駆動を停止させ、加熱ヒータ２２は通電させて貯水温度を７０℃まで上昇させ、貯水内の雑菌を高温加熱で除菌する除菌運転を行うものであり（ステップ５４）、そして、制御手段４１内の計時機能がこの除菌運転の時間をカウントして５分経過を計時することで（ステップ５５）、ＹＥＳで除菌運転を含む全運転を終了するものである（ステップ５６）。
【００３６】
又チャイルドロックスイッチ４８が押圧操作され、その他の操作スイッチ４４である風量スイッチ４５や温ミストスイッチ４６や切りタイマースイッチ４７の操作を制御手段４１が受け付けないようにするチャイルドロック状態では、ステップ５３の判断でＹＥＳとなり、５分間の除菌運転を行うことなくステップ５６の全運転を終了するに進むものである。
【００３７】
これによって、子供の悪戯が心配でチャイルドロックしたのに、運転停止後５分間も高温の除菌運転していたのでは、万一子供がミスト発生装置本体１を倒すと火傷する危険があるので、チャイルドロック状態では除菌運転は行わず停止することで未然に危険を阻止するようにしたものである。
【符号の説明】
【００３８】
１  ミスト発生装置本体
４  送風機
８  貯水室
１３  駆動モータ
１７  回転体
２０  多孔体
２２  加熱ヒータ
２３  温度センサ
４１  制御手段
４３  運転スイッチ
４４  その他の操作スイッチ
４８  チャイルドロックスイッチ
【図１】
2015059671.tif 000003
【図２】
2015059671.tif 000004
【図３】
2015059671.tif 000005
【図４】
2015059671.tif 000006